(57)【特許請求の範囲】
【請求項１】
建物開口部に取付けられる窓枠と、閉鎖時に、窓枠の上方領域に配置される外障子と、窓枠に対して上げ下げ可能に支持され、閉鎖時に、窓枠の下方領域に配置される内障子とを備え、
窓枠の縦枠には、下枠の中空部に連通する中空部を設け、
外障子と内障子の召合せ部の気密材と縦枠の中空部の開口部との間にシール部が設けられており、外障子と内障子の召合せ部の気密材の上面と縦枠の中空部が連続している
ことを特徴とする上げ下げ窓。
【発明の詳細な説明】
【技術分野】
【０００１】
外障子及び内障子とを有し、内障子を上げ下げすることにより開閉することができる上げ下げ窓に関するものである。
【背景技術】
【０００２】
建物開口部に設置される窓枠に対して、外障子及び内障子とを上下方向に配置して、内障子を上げ下げすることにより、開口部を開閉する上げ下げ窓が周知となっている。（特許文献１）。
（特許文献１）
【先行技術文献】
【特許文献】
【０００３】
【特許文献１】特許第３９２４１３９号
【発明の概要】
【発明が解決しようとする課題】
【０００４】
上記先行技術文献の上げ下げ窓では、内、外障子同士の召合せ部に気密材を配置することにより気密して、雨水等の浸入を防止している。
しかしながら、上記先行技術文献に限らず、上げ下げ窓の内、外障子同士の召合せ部の気密材上に雨水や結露水が溜まることがあり、召合せ部に溜まった水が強風時などに室内にしぶき込んでくるという問題があった。
【０００５】
本発明は、上記の事情を鑑み、上げ下げ窓の閉鎖時において、内、外障子の召合せ部の気密材上に溜まった水の排水経路を設けることにより、召合せ部に溜まった水を排水することを目的とする。
【課題を解決するための手段】
【０００６】
本発明は、建物開口部に取付けられる窓枠と、閉鎖時に、窓枠の上方領域に配置される外障子と、窓枠に対して上げ下げ可能に支持され、閉鎖時に、窓枠の下方領域に配置される内障子とを備え、窓枠の縦枠には、下枠の中空部に連通する中空部を設け、外障子と内障子の召合せ部の気密材と縦枠の中空部の開口部との間にシール部が設けられており、外障子と内障子の召合せ部の気密材の上面と縦枠の中空部が連続していることを特徴とする。
【発明の効果】
【０００７】
上げ下げ窓の内外障子の気密材上面に溜まった水の排水性を向上させることができ、水密性を良好に保つことができる。
【図面の簡単な説明】
【０００８】
【図１】本発明の実施形態に係る上げ下げ窓の内観図である。
【図２】本発明の実施形態に係る上げ下げ窓の縦断面図である。
【図３】本発明の実施形態に係る上げ下げ窓の横断面図であり、左側は図２におけるｘ−ｘ部分の横断面図を、右側は同ｙ−ｙ部分における横断面図である。
【図４】本発明の実施形態に係る上げ下げ窓における左側の縦枠及び内障子の左縦框の横断面図である。
【図５】本発明の実施形態に係る上げ下げ窓における内障子の縦断面図である。
【図６】本発明の実施形態に係る上げ下げ窓に用いる受け金具の図であり、（ａ）は平面図、（ｂ）は正面図、（ｃ）は側面図である。
【図７】本発明の実施形態に係る上げ下げ窓における外障子の取付けを説明するための横断面図である。
【図８】本発明の実施形態に係る上げ下げ窓の外障子の縦框下端に設けられる框下端キャップの図であり、（ａ）は背面図、（ｂ）は正面図、（ｃ）は平面図である。
【図９】本発明の実施形態に係る上げ下げ窓の外障子の縦框下端に設けられる框下端キャップの図であり、（ａ）は側面図、（ｂ）は図８（ａ）のｂ−ｂ断面図、（ｃ）は図８（ａ）のａ−ａ断面図である。
【図１０】本発明の実施形態に係る上げ下げ窓の外障子の縦框下端に設けられる框下端キャップを説明するための図であり、内、外障子の召合せ部の縦断面図である。
【図１１】本発明の実施形態に係る上げ下げ窓における目板上端位置付近の横断面図である。
【発明を実施するための形態】
【０００９】
本発明の実施形態の上げ下げ窓について、図面を参考にして説明する。
（全体の構成）
図１に示すように、本発明の実施形態の上げ下げ窓は、上枠１１、下枠１２及び左、右縦枠１３，１４により形成された窓枠１に対して、その上方位置に召合せ框３１（図示なし）、戸先框３２、及び左、右縦框３３，３４を四周に組んでその内周にガラス等のパネルが嵌め込まれて構成される外障子３を取付け、下方位置に召合せ框２１、戸先框２２、及び左、右縦框２３，２４を四周に組んでその内周にガラス等のパネルが嵌め込まれて構成される内障子２を開閉自在に設けて構成されている。
【００１０】
（窓枠の構成）
図２に示すように、上枠１１は、アルミニウム等の金属材料からなる金属上枠１１１と金属上枠１１１の室内側内周面に配置される樹脂上枠１１２とからなる。
金属上枠１１１は、室外側端より室外壁１１１ａが垂下されるとともに室外側内周面から当接部１１１ｂが垂下され、両者によって外障子３の戸先框３２を支持する支持溝１１１ｃが形成されている。
金属上枠１１１の室内側内周面に嵌合固定される樹脂上枠１１２は、見込み方向、すなわち下方に向かって複数の中空部が積層される中空積層構造をなしており、その室内側端部に室内方向に延設されたアングル部が建物開口部に対してネジ等の固定手段により固定される。
【００１１】
一方、下枠１２は、アルミニウム等の金属材料からなる金属下枠１２１と、金属下枠１２１の室内側端部に係合固定される樹脂材料からなる樹脂下枠１２２とからなる。
金属下枠１２１は、見込み方向室外側に中空部１２１ａを有し、中空部１２１ａの室内端より内周方向に向けて内障子２の戸先框２２の外周面と当接する緩衝材を保持するための保持片１２１ｂが設けられている。
樹脂下枠１２２は、下枠１２の室内側に面する部位を構成しており、室内方向に延設されたアングル部が建物開口部に対してネジ等の固定手段により固定される。
【００１２】
図３に示すように、左、右縦枠１３，１４は、略同一の構成を備えている。
図３に示す左縦枠１３は、図２におけるｘ−ｘ断面、すなわち窓枠１の内障子２に対向する部分の左縦枠１３の横断面図を示し、図３に示す右縦枠１４は、図２におけるｙ−ｙ断面、すなわち窓枠１の外障子３に対向する部分の右縦枠１４の横断面図を示している。
【００１３】
左、右縦枠１３，１４は、その室外側に内周に向けて突出する室外中空部を有する左、右金属縦枠１３１，１４１と、左、右金属縦枠１３１，１４１の中空部の室内側内周面に嵌合固定される左右の樹脂縦枠とからなる。
左、右金属縦枠１３１，１４１の室外中空部の室外壁部は内周方向に延設されて、外障子３の室外側面に配置された気密材ｓ１が当接する室外壁１３１ａ，１４１ａを形成している。
左、右の樹脂縦枠は、複数の中空部により形成され左、右金属縦枠１３１，１４１の内周面略中央部位に嵌合固定される左、右主樹脂縦枠１３２、１４２と、複数の中空部を有し左、右金属縦枠１３１，１４１の室内側端に係合される左、右副樹脂縦枠１３３，１４３とにより構成されている。
【００１４】
左、右主樹脂縦枠１３２，１４２の室内側内周には、内周方向に開口する溝部１３２ｃ，１４２ｃを有しており、溝部１３２ｃ，１４２ｃの底部においてビス等の固定手段によって左、右金属縦枠１３１，１４１の内周面に固定されている。
【００１５】
溝部１３２ｃ，１４２ｃには、内障子２の下方両側から突出する回転軸８１（図２）が上下方向に案内されており、また、図３の左縦枠１３に示されるように、左主樹脂縦枠１３２と左副樹脂縦枠１３３とにより、ガイド部１３２ｄが形成され、ガイド部１３２ｄにはスライダ８２，８２が上下方向に移動自在にガイドされ、スライダ８２，８２と内障子２の外周面がリンク８３、８３により連結されている。
【００１６】
したがって、内障子２は、左、右縦枠１３，１４内周の溝部１３２ｃ，１４２ｃ及びガイド部１３２ｄ，１４２ｄに沿って、回転軸８１，８１及びスライダ８２，８２を上下スライドさせることにより、窓枠１の下方位置の開口部を開閉することができると共に、回転軸８１，８１を中心にスライダ８２，８２との間のリンク８３，８３により、室内側に内倒して開閉することができる。
なお、内障子２の上下方向への開閉機構及び内倒し開閉機構については、特に限定されるものではない。
【００１７】
そして、図４に示すように、左（右）金属縦枠１３１（１４１）の室外壁１３１ａの室内側面には、突条片１３１ｂ（１４１ｂ）が突設されて、後述する目板６の室外係合部６２ａが係合する室外係合凹部１３１ｃが形成されている。
また、左（右）主樹脂縦枠１３２（１４２）の室外側端部内周面には、目板６の中間係合部６２ｂが係合する中間係合突起１３２ａが形成され、見込み方向中央付近の内周面には、目板６の室内係合部６１ａが係合する室内方向に開口する室内係合凹部１３２ｂが形成されている。
【００１８】
（内障子の構成）
内障子２の召合せ框２１は、図５に示すように、金属召合せ框２１１と、金属召合せ框２１１の室内側面及び外周面を覆う樹脂召合せ框２１２とから構成されている。
金属召合せ框２１１は、パネルの室外側外周に配置される中空部２１１ａと、中空部２１１ａの室外側端から内周方向に延設されガラス間口を構成するガラス間口部２１１ｂと、中空部２１１ａの内周室外側より室外側に延設し、その後下方に屈曲する屈曲片２１１ｃとから構成されている。
【００１９】
樹脂召合せ框２１２は、金属召合せ框２１１の室内側を覆う見込み方向に複数の中空部が積層されてなる室内側中空部２１２ａと、室内側中空部２１２ａの室内端で内周方向に延設してガラス間口を構成するガラス間口中空部２１２ｂと、室内側中空部２１２ａの室外側外周端から室外方向に延設され金属召合せ框２１１の外周面を覆う外周部２１２ｃとから構成されている。外周部２１２ｃの内周面には、金属召合せ框２１１の外周面に向かって隔壁が延設されており、外周部２１２ｃと金属召合せ框２１１とによって中空部が形成されている。
樹脂召合せ框２１２の外周部２１２ｃの室外側端面には、気密材ｓが配置され、後述する外障子３の召合せ框３１の室内側面に当接している。
【００２０】
内障子２の戸先（下）框２２は、図５に示すように、金属戸先框２２１と、金属戸先框２２１の室内側面を覆う樹脂戸先框２２２とから構成されている。
金属戸先框２２１は、ガラス等パネルの室外側外周に配置される中空部２２１ａと、中空部２２１ａの室外側端から内周方向に延設されガラス間口を構成するガラス間口部２２１ｂと、中空部２２１ａの外周に設けられる溝状の回転軸取付溝２２１ｃとから構成されている。
【００２１】
樹脂戸先框２２２は、金属戸先框２２１の中空部２２１ａ及び回転軸取付溝２２１ｃの室内側面を覆う見込み方向に複数の中空部を有する室内側中空部２２２ａと、室内側中空部２２２ａの室内端で内周方向に延設してガラス間口を構成するガラス間口中空部２２２ｂとから構成されており、室内側中空部２２２ａを構成する複数の中空部は、金属戸先框２２１の室内側面から室内方向に行くに従ってその見込み方向寸法が小さくなっており、その下面は傾斜して形成されている。
図２に示すように、金属戸先框２２１の回転軸取付溝２２１ｃには、回転軸８１が配置されており、内障子２を室内方向に打ち倒し可能に支持している。
【００２２】
内障子２の左、右縦框２３，２４は、略同一の構成を備えているので、内障子２の左、右縦框２３，２４について、左縦框２３を用いて説明する。
左縦框２３は、図４に示すように、左金属縦框２３１と左金属縦框２３１の室内側に配置される左樹脂縦框２３２とからなる。
左金属縦框２３１は、中空部２３１ａと、中空部２３１ａの室外側内周に延設されガラス間口を構成するガラス間口部２３１ｂとから構成され、中空部２３１ａの外周面には、左縦枠１３のガイド部１３２ｄをスライドするスライダ８２に連結されたリンク８３が回転自在に連結されており（図３）、また、中空部２３１ａの室外側面には、モヘア等の気密材ｍ１が長さ方向に沿って略全長に亘って配置されている。
【００２３】
左樹脂縦框２３２は、左金属縦框２３１の室内側面に連結され、左金属縦框２３１の室内側面全体を覆い見込み方向に複数の中空部が積層されてなる室内側中空部２３２ａと、室内側中空部２３２ａの室内端内周側に延設されガラス間口を構成するガラス間口部２３２ｂとから構成されている。
【００２４】
室内側中空部２３２ａの見込み方向略中間位置に積層されている中空部の外周には、モヘア等の気密材ｍ２が配置され、左縦枠１３の左副樹脂縦枠１３３の内周面に当接しており、室外側面に配置された気密材ｍ１と協働して二重の気密構造を形成している。
また、室内側に積層されている中空部の外周端は、左縦枠１３の左副樹脂縦枠１３３の内周端よりもさらに外周方向に延設され、左副樹脂縦枠１３３と室内外方向に重複している。
【００２５】
（外障子の構成）
図２に示すように、外障子３の召合せ框３１は、金属召合せ框３１１と金属召合せ框３１１の室内側に配置される樹脂召合せ框３１２とからなる。
金属召合せ框３１１は、パネルの外周面を覆う中空形状をなす中空部３１１ａと、中空部３１１ａの室外側端から内周方向に延設されガラス間口を構成するガラス間口部３１１ｂと、中空部３１１ａの室内側下端より室内方向に延設されて内障子２の召合せ框２１の室外側面に当接して気密する気密材ｓを保持する気密材保持片３１１ｃとから構成されている。
【００２６】
樹脂召合せ框３１２は、金属召合せ框３１１の室内側面を覆う室内側部３１２ａと、室内側部３１２ａの内周に延設してガラス間口を構成するガラス間口中空部３１２ｂとから構成されており、その室内側面には、内障子２の召合せ框２１に設けた気密材ｓが当接している。
【００２７】
外障子３の戸先（上）框３２は、図２に示すように、金属戸先框３２１と金属戸先框３２１の室内側に配置される樹脂戸先框３２２とからなる。
金属戸先框３２１は、ガラス等パネルの室外側外周面に配置される中空部３２１ａと、中空部３２１ａの室外側内周に延設されガラス間口を構成するガラス間口部３２１ｂと、中空部３２１ａの室内側の外周面に形成された当接片３２１ｃとから構成されている。
【００２８】
中空部３２１ａの室外側面には上枠１１の金属上枠１１１の室外壁１１１ａの室内面に当接する気密材ｓが配置されている。
そして、外障子３の戸先框３２の金属戸先框３２１が上枠１１の支持溝１１１ｃに挿入されることによって、外障子３の室内外方向の移動を規制し、中空部３２１ａの当接片３２１ｃが支持溝１１１ｃの内面に当接して戸先框３２を室外側に押圧することによって、戸先框３２の気密材ｓが金属上枠１１１の室外壁１１１ａの室内面に当接して、ＦＩＸ窓としての外障子３の上枠１１に対する気密を行っている。
樹脂戸先框３２２は、金属戸先框３２１の室内側面に係合され、見付け方向に複数の中空部を有する室内側中空部３２２ａと、室内側中空部３２２ａの室内端で内周方向に延設してガラス間口を構成するガラス間口部３２２ｂとから構成されている。
【００２９】
外障子３の左、右縦框３３，３４は、略同一の構成を備えているので、外障子３の左、右縦框３３，３４について、図３に示される、右縦框３４を用いて説明する。
右縦框３４は、右金属縦框３４１と右金属縦框３４１の室内側に配置される右樹脂縦框３４２とからなる。
右金属縦框３４１は、ガラス等パネルの室外側外周に配置される中空部３４１ａと、中空部３４１ａの室外側内周に延設されガラス間口を構成するガラス間口部３４１ｂとから構成され、中空部３４１ａの室外側面には、気密材ｓ１が長さ方向に沿って略全長に亘って配置され、右縦枠１４の右金属縦枠１４１の室外壁１４１ａの室内側面に当接している。
右樹脂縦框３４２は、右金属縦框３４１の室内側面に連結され、右金属縦框３４１の室内側面全体を覆う中空部３４２ａと、中空部３４２ａの室内側に隣接する室内方向に開口する溝部３４２ｂと、溝部３４２ｂの内周面より内周方向に延設されガラス間口を構成するガラス間口部３４２ｃとから構成されており、溝部３４２ｂの室内開口には蓋部材３４２ｄが嵌められて、溝部３４２ｂにより中空部が形成されている。
中空部３４２ａの外周には、右縦枠１４の右主樹脂縦枠１４２の内周面に当接する気密材ｓ２が設けられ、右縦枠１４の右主樹脂枠１４２の内周面に当接することで、前述の右縦枠１４の室外壁１３１ａに当接する気密材ｓ１と協働して、縦枠１４と右縦框３４との間に２重気密構造を形成して外障子３の右縦枠１４に対する気密を行っている。
【００３０】
（外障子の装着）
本発明の実施形態の上げ下げ窓の外障子３の窓枠１への装着について、説明する。
通常、上げ下げ窓においては、内障子２の閉鎖状態において、内障子２の左、右縦框２３，２４と窓枠１の左、右縦枠１３，１４との間を気密するために、左、右縦枠１３，１４の内周面の室内外方向中央付近に中仕切片が設けられており、内障子２の左、右縦框２３，２４に設けられた気密材を中仕切片に当接することにより内障子２と窓枠１との気密を行っていた。
【００３１】
これに対して、本実施形態の上げ下げ窓においては、左、右縦枠１３，１４には、その内周に突出する中仕切片が設けられていない。その他、左、右縦枠１３，１４の上方領域の内周面には、内周に突出する部材が存在しておらず、左、右縦枠１３，１４の内周面は室内側端部から室外壁１３１ａ，１４１ａに至るまで、外障子３の見付け幅寸法よりも広い間隔を有している。そのため、外障子３は窓枠１の上方の領域に対して室内側から嵌め込むことにより、図３に示すように、左、右縦框３３，３４の室外側面に配置した気密材ｓ１を、窓枠１の左、右縦枠１３，１４の室外壁１３１ａ，１４１ａの室内面に当接させることができる。そして、後述する受け金具７に載置させて固定することにより、窓枠１の室外側にＦＩＸ窓として設置することができる。
【００３２】
このように、左、右縦枠１３，１４の内周面に中仕切片が存在しないので、外障子３の装着は、簡単に行うことができるが、内障子２の左、右縦枠１３，１４に対する気密については、中仕切片を利用した気密が不可能となった。
そこで、本実施形態においては、窓枠１の左、右縦枠１３，１４の室外側の内周面で外障子３の下方領域に、目板６，６を係合固定することにより、内障子２の室外側面に設けたモヘア等の気密材ｍ１を目板６の室内側面に当接して、内障子２と窓枠１との間を気密するように構成している。
以下、左、右縦枠１３，１４の内周面に固定される目板６について、図４を参考に説明する。
【００３３】
（目板の構造）
目板６，６は、アルミニウム等の金属材料で形成され、左、右縦枠１３，１４の内周面の見込み方向略中央に配置される室内側中空部６１と、室内側中空部６１の室外側に延設される取付片部６２とからなり、室内側中空部６１の外周面には室内係合部６１ａが形成されており、取付片部６２の室外側端部、及び、中間外周面には、室外係合部６２ａ、及び、中間係合部６２ｂが形成され、室外側の内周面には、リブ片６２ｃが形成されている。
【００３４】
そして、左、右縦枠１３，１４の左、右金属縦枠１３１，１４１の室外壁１３１ａ，１４１ａの室内側面に形成された室外係合凹部１３１ｂ（１４１ｂ）及び左、右主樹脂縦枠１３２，１４２に形成された室内係合凹部１３２ｂ（１４２ｂ）に対して、目板６の室外係合部６２ａ及び室内係合部６１ａを同時に差し込むことにより、目板６の中間係合部６２ｂが弾性変形して左、右主樹脂縦枠１３２，１４２に形成された中間係合突起１３２ａを乗り越えて係合し、取付片部６２のリブ片６２ｃが突条片１３１ｂの先端部に当接することで、左右縦枠１３，１４に対して、目板６，６を位置決め固定することができる。
また、目板６，６を固定することにより、左、右縦枠１３，１４と目板６，６の取付片部６２とにより、左、右縦枠１３，１４に沿って上下方向に延びる中空部６２ｄが形成される。
【００３５】
図２に示すように、左、右縦枠１３，１４の内周面に固定された目板６の下端は、シーラー（図示しない）を介して下枠１２の金属下枠１２１の中空部１２１ａの上面に当接されている。
そして、下枠１２上面の目板６の室内側中空部６１が当接する部位には、排水穴１２１ｃが穿設されており、また、目板６と左、右縦枠１３，１４とにより形成される中空部６２ｄが当接する部位には、排水穴１２１ｄが穿設されており、目板６の室内側中空部６１から排水穴１２１ｃ、下枠１２の中空部１２１ａ、排水弁１２１ｅを介して室外に連通する排水経路ｗ１と、目板６と左、右縦枠１３，１４とにより形成される中空部６２ｄから排水穴１２１ｄ、下枠１２の中空部１２１ａ、排水弁１２１ｅを介して室外に連通する排水経路ｗ２が形成されている。
【００３６】
また、左、右主樹脂縦枠１３２，１４２の内障子２の室外側に露出する内周面を、薄肉のアルミニウム材からなる目板６，６により覆うことによって、左、右縦枠１３，１４の左、右主樹脂縦枠１３２，１４２の内周表面を日光の紫外線等から保護することができ、変色や劣化を防止することができる。
【００３７】
（外障子の固定）
図２に示すように、外障子３の左右下端部は、窓枠１の左、右縦枠１３，１４の室外側内周面に固定された受け金具７によって、窓枠１に固定されている。
受け金具７は、図６に示すように、左、右縦枠１３，１４の内周面に固定される垂直部７１と、外障子３の左右下端部に固定される水平部７２と、垂直部７１と水平部７２とを連結する段差部７３とから構成されている。
【００３８】
そして、図７の左縦枠１３に示されるように、受け金具７は、左、右縦枠１３，１４の下方領域に配置された目板６の取付片部６２の上面に段差部７３を載置した状態で、垂直部７１が左、右縦枠１３，１４の内周面にネジ等の固定手段により固定されている。
目板６の取付片部６２の上面に載置された段差部７３の内周面は、左、右金属縦枠１３１，１４１の室外壁１３１ａ，１４１ａの室内側に形成した突条片１３１ｂ，１４１ｂの内周面と目板６のリブ片６２ｃの内周面と面一となり、目板６の室内側中空部６１の室外側面から室外壁１３１ａ，１４１ａに至る面一面を形成している。
【００３９】
左、右縦枠１３，１４に固定された受け金具７，７の水平部７２，７２に、戸先框３２を上枠１１の下方に開放した支持溝１１１ｃに挿入した外障子３の両側下端部が載置されて下方よりネジ等の固定手段により固定することで、外障子３が窓枠１の室外側上方領域にＦＩＸ窓として固定されている。
また、外障子３を固定するための受け金具７を目板６の取付片部６２に載置して左、右縦枠１３，１４に固定しているので、目板６の上下方向への位置ずれが防止される。
【００４０】
（框下端キャップの構造）
本実施形態においては、外障子３の左、右縦框３３，３４の下端には、縦框下端キャップ９，９が装着されており、左、右縦框３３，３４の下端開口を覆うと共に、内、外障子２，３の召合せ部に溜まった雨水等を、排水経路ｗ１，ｗ２を介して室外に導いている。
以下、框下端キャップについて、図８乃至１１に示す、右縦框３４の下端に装着する框下端キャップ９を用いて、説明する。
【００４１】
図８，９に示すように、框下端キャップ９は、平板状のベース部９１と、ベース部９１の室内側上面に立ち上がる立上り部９２とから構成されている。
ベース部９１は、室内側に比べて幅広に形成される室外側幅広部９１１と室内側部９１２とからなり、室外側幅広部９１１の上面には突出部９１３が設けられている。
立上り部９２は、その室内側が外方に張り出して張出部９２１が形成されており、立上り部９２の上面には室内外方向に並ぶ２つの突出部９２２，９２３が設けられている。
【００４２】
図８（ｂ）、図９に示すように、ベース部９１の室外側幅広部９１１及び室内側部９１２の外方（図９の右側）には、それぞれ外方に延びる上下２条のヒレを有する第１シール片９１１ａ及び第２シール片９１２ａが設けられており、第１シール片９１１ａと第２シール片９１２ａは、室内外方向に連続して形成されている。
また、ベース部９１の室内側面には、上下２条のヒレを有する第３シール片９１４が、第１シール片９１１ａ及び第２シール片９１２ａと高さを同じくして設けられており、ベース部９１は、その外方から室内側にかけて連続する上下２条のヒレ片からなるシール片を有している。
【００４３】
そして、右縦框１４の右金属縦框３４１の中空部３４１ａに、ベース部９１上面の突出部９１３を挿入するとともに、右樹脂縦框３４２の室内側の中空部３４２ａ及び中空部３４２ａの室内側に隣接する溝部３４２ｂに、立上り部９２の突出部９２２及び突出部９２３を挿入することにより、框下端キャップ９が右縦框１４の下端に取付けられている。
框下端キャップ９を取付けられた外障子３は、受け金具７の上面に載置されて固定されることで、框下端キャップ９は外れることなく右縦框１４の下端に強固に固定される。
【００４４】
（召合せ部のシール構造及び排水構造）
右縦框１４の下端に固定された框下端キャップ９は、その第３シール片９１４が、内、外障子２，３の閉鎖状態において、図１０に示すように、内障子２の室外面に当接し、図２に示す、外障子３の召合せ框３１の気密材保持片３１１ｃに設けた気密材ｓと高さ位置を同じく連続して、内、外障子２，３の召合せ部における気密を左右幅全長に亘って行っている。
【００４５】
図１１は、外障子２の右縦框３４の下端に固定された框下端キャップ９のベース部９１の室外側幅広部９１１、室内側部９１２、及び、第１シール片９１１ａ、第２シール片９１２ａ、第３シール片９１４を示している。
右縦枠１４の下方領域に目板６が配置され、その上端面に受け金具７が載置されて縦枠に固定されることにより、右縦枠１４の室外壁１４１ａに設けられた突条片１４１ｂの内周面と目板６のリブ片６２ｃの内周面、及び、受け金具７の段差部７３の内周面により形成される面一の面，及び、目板６の室内側中空部６１の室外側面に框下端キャップ９の第１シール片９１１ａが当接し、目板６の室内側中空部６１の内周面に第２シール片９１２ａが当接し、框下端キャップ９の第３シール片９１４が内障子２の右縦框２２４の室外面に当接することにより、召合せ部における外障子３と左、右縦枠１３，１４との間及び外障子３と内障子２との間を同一高さにおいてシールすることができる。
【００４６】
そして、第２シール片９１２ａは、目板６の内周側に対して、目板６の室内側中空部６１の上端開口部の若干下方位置にて当接しているので、内障子２と外障子３の召合せ框に浸入した雨水や結露水等は、第２シール片９１２ａの上面に少しでも溜まれば、溜まった水は目板６の室内側中空部６１の開口部上端を越えて室内側中空部６１に落ち込んで（矢印ｗ１）、室内側中空部６１から下枠１２の中空部１２１ａ，排水弁１２１ｅに至る排水経路ｗ１を通って室外に排水することができる。
一方、第１シール片９１１ａは、突条片１４１ｂの内周面と目板６のリブ片６２ｃの内周面、及び、受け金具７の段差部７３の内周面により形成される面一の面の上端から若干下方位置にて当接しているので、外障子３と左、右縦枠１３，１４との間に浸入した雨水や結露水等は、第１シール片９１１ａの上面に溜まれば、溜まった水は受け金具７の段差部７３の室外側から中空部６２ｄに落ち込んで（矢印ｗ２）、中空部６２ｄから下枠１２の排水穴１２１ｄ、中空部１２１ａ、排水弁１２１ｅに至る排水経路ｗ２を通って室外に排水することができる。
【００４７】
以上のように、本発明の実施形態においては、内障子と縦枠との気密のために縦枠の内周に配置した目板の中空部、及び、目板と縦枠内周面に形成される中空部を排水経路とし、それら中空部の下端を下枠の上面にシーラーを介して当接させるとともに、下枠の上面には排水穴を形成して、中空部から排水される水を下枠中空内部に流入可能とすることにより、内外障子の召合せ部及び外障子と縦枠との間に溜まった水を下枠から排水弁を介して排水することができる。
【００４８】
そして、窓枠の上方領域に配置される外障子の縦框の下端に取り付けられる框下端キャップの外周にヒレ片からなる気密材を設けることにより、外障子の縦框と縦枠との間、内外障子の召合せ框の間から浸入する雨水を、排水経路とした中空部に導くことができ、召合せ部に溜まった水が室内に入り込むことが防止できる。
框下端キャップのヒレ片が当接する縦枠の内周面を、受け金具７の段差部７３の内周面により面一の面に形成されているので、ヒレ片からなる気密材による気密性を向上させて、ヒレ片の上面に溜まった水が室内側に浸入することを防止することができる。
【００４９】
なお、本実施形態においては、排水経路ｗ１は、目板に形成された室内側中空部６１を利用して形成しているが、排水経路ｗ１についても、排水経路ｗ２と同様に目板と縦枠とにより形成される中空部を利用して形成することもできる。
また、本実施形態においては、外障子はＦＩＸ窓として構成したが、外障子を上下移動等により開閉自在な障子として構成してもよい。
【符号の説明】
【００５０】
１        ：窓枠
１１      ：上枠
１１１    ：金属上枠
１１１ａ  ：室外壁
１１１ｂ  ：当接部
１１１ｃ  ：支持溝
１１２    ：樹脂上枠
１２      ：下枠
１２１    ：金属下枠
１２１ａ  ：保持片
１２２    ：樹脂下枠
１３      ：左縦枠
１３１    ：右金属縦枠
１３１ａ  ：室外壁
１３１ｂ  ：突条片
１３１ｃ  ：室外係合凹部
１３２    ：左主樹脂縦枠
１３２ａ  ：中間係合突起
１３２ｂ  ：室内係合凹部
１３２ｃ  ：溝部
１３２ｄ  ：ガイド部
１３３    ：左副樹脂縦枠
１４      ：右縦枠
１４１    ：右金属縦枠
１４１ａ  ：室外壁
１４２    ：右主樹脂縦枠
１４２ｃ  ：溝部
１４２ｄ  ：ガイド部
１４３    ：右副樹脂縦枠
２        ：内障子
２１      ：召合せ框
２１１    ：金属召合せ框
２１１ａ  ：中空部
２１１ｂ  ：ガラス間口部
２１１ｃ  ：屈曲片
２１２    ：樹脂召合せ框
２１２ａ  ：室内側部
２１２ｂ  ：ガラス間口中空部
２１２ｃ  ：外周部
２２      ：戸先框
２２１    ：金属戸先框
２２１ａ  ：中空部
２２１ｂ  ：ガラス間口部
２２１ｃ  ：回転軸取付溝
２２２    ：樹脂戸先框
２２２ａ  ：室内側部
２２２ｂ  ：ガラス間口中空部
２３      ：左縦框
２３１    ：左金属縦框
２３１ａ  ：中空部
２３１ｂ  ：ガラス間口部
２３２    ：左樹脂縦框
２３２ａ  ：室内側中空部
２３２ｂ  ：ガラス間口部
２４      ：右縦框
３        ：外障子
３１      ：召合せ框
３１１    ：金属召合せ框
３１１ａ  ：中空部
３１１ｂ  ：ガラス間口部
３１１ｃ  ：気密材保持片
３１２    ：樹脂召合せ框
３１２ａ  ：室内側部
３１２ｂ  ：ガラス間口中空部
３２      ：戸先框
３２１    ：金属戸先框
３２１ａ  ：中空部
３２１ｂ  ：ガラス間口部
３２１ｃ  ：当接片
３２２    ：樹脂戸先框
３２２ａ  ：室内側部
３２２ｂ  ：ガラス間口部
３３      ：右縦框
３４      ：右縦框
３４１    ：右金属縦框
３４１ａ  ：中空部
３４１ｂ  ：ガラス間口部
３４２    ：右樹脂縦框
３４２ａ  ：中空部
３４２ｂ  ：ガラス間口部
６        ：目板
６１      ：室内側中空部
６１ａ    ：室内係合部
６２      ：取付片部
６２ａ    ：室外係合部
６２ｂ    ：中間係合部
６２ｃ    ：リブ片
７        ：受け金具
７１      ：垂直部
７２      ：水平部
７３      ：段差部
８１      ：回転軸
８２      ：スライダ
８３      ：リンク
ｍ１      ：気密材
ｍ２      ：気密材
ｓ        ：気密材
【図１】
0006441713.tif 000002
【図２】
0006441713.tif 000003
【図３】
0006441713.tif 000004
【図４】
0006441713.tif 000005
【図５】
0006441713.tif 000006
【図６】
0006441713.tif 000007
【図７】
0006441713.tif 000008
【図８】
0006441713.tif 000009
【図９】
0006441713.tif 000010
【図１０】
0006441713.tif 000011
【図１１】
0006441713.tif 000012